(57)【要約】【課題】帆立貝を主とする貝類の養殖かごを海辺等で洗浄した際に生じた用済排水（濁水）に含まれている除去付着物を効果的に収集するのに用いる貝類養殖かご洗浄後の排水濾過装置の改良。【解決手段】左右側面板間に設けた傾斜位置にある２個のロ−ラ−間に無端帯状の濾過ベルトを掛け回したモーター駆動の濾過前排水搬送部と、濾過ベルトの上辺側部分と下辺側部分との間に設けた上辺側部分の目を介して濾し出された濾過後排水を下方に送り出す搬送用シュートと、を備えて成ることを特徴とするものである。【選択図】　　　　図１
2004033805.tif 000002
【特許請求の範囲】
【請求項１】
左右側面板間に設けた傾斜位置にある２個のロ−ラ−間に無端帯状の濾過ベルトを掛け回したモーター駆動の濾過前排水搬送部と、濾過ベルトの上辺側部分と下辺側部分との間に設けた上辺側部分の目を介して濾し出された濾過後排水を下方に送り出す搬送用シュートと、を備えて成ることを特徴とする貝類養殖かご洗浄後排水濾過装置。
【請求項２】
摩擦を少なくするための多数本の突条を長手方向の向きとして下面に設けた長尺の防止部材を濾過ベルトの上辺側部分の左右両側縁部の上面に配して当該防止部材を左右両側板の内面に止着し、よって濾過ベルトの上辺側部分の左右両側縁と左右両側板の内面との間から雑物および濾過前排水が漏れ出すことを阻止するようにして成ることを特徴とする請求項１記載の貝類養殖かご洗浄後排水濾過装置。
【請求項３】
目の粗いベルト体を複数本のローラーに掛け回すことによって構成した脱水用ローラー装置を濾過ベルトの上辺側部分上に載置してこれを左右両側板間に、当該脱水用ローラー装置のベルト体が濾過ベルトの上辺側部分の移動力で回転するようにした状態で支承して成ることを特徴とする請求項１記載の貝類養殖かご洗浄後排水濾過装置。
【請求項４】
スリット状の吹出口をもつ吹出ノズルを連結したブロワ−装置を設け、このブロワ−装置の吹出ノズルを濾過ベルトに向けて噴出するようにしたことを特徴とする請求項１記載の貝類養殖かご洗浄後排水濾過装置。
【請求項５】
スリット状の吹出口をもつ吹出ノズルを連結したブロワ−装置を設け、このブロワ−装置の吹出ノズルを脱水用ローラー装置のベルト体に向けて噴出するようにしたことを特徴とする請求項１記載の貝類養殖かご洗浄後排水濾過装置。
【発明の詳細な説明】
【０００１】
【発明の属する技術分野】
本発明は、帆立貝を主とする貝類の養殖かごを海辺等で洗浄した際に生じた排水（濁水）に含まれている除去付着物を効果的に収集するのに用いる貝類養殖かご洗浄後の排水濾過装置に関する。
【０００２】
【従来の技術】
一般に、帆立貝やかき、真珠貝などの貝類の養殖には、ポリ塩化ビニ−ル等被覆膜付きの金属枠にナイロン等製網を張設することで得た多段構造の養殖かごが使用されている。この養殖かごには海中で使用している間にふじつぼ、さんご等が付着する。これ等の付着物は通水性を阻害して餌や酸素の取得の妨げとなる。このため、養殖開始時や養殖中の一定期間ごとにこれ等付着物を養殖かごから取り除く必要があった。
【０００３】
従前、この養殖かごの付着物除去には、例えばハンマ−でたたき落とす人力的方法や、回転ロ−ラ−で押し潰し乍ら高圧散水で洗い落とす機械的方法等が採用されていた。
【０００４】
ところで、現今問題となっていることは、貝類養殖かごの洗浄の際に発生する、除去付着物の含有したままの用済排水が濁水状態のまま海中に放棄されているということである。斯かる問題は、当該用済排水中の除去付着物が作業現場である海浜付近の海中に堆積して船舶の航行の妨げとなり、浚渫が必要になる等の不都合を惹起する。
【０００５】
そこで、従前、上記の問題点を解決する手段として次のような形式の貝類養殖かご洗浄後排水濾過装置が提供されている。
【０００６】
すなわち、無端帯状の濾過布を傾斜位置にある２個のロ−ラ−間に張設し、濾過布の側縁に沿った側板ならびに下降移動の濾過布面に沿い水はね防止壁にいたる傾斜板を設け、下降移動開始付近の濾過布面に掻取板を当接して除去付着物を落下収集し、水はね防止壁内に排水口を設けると共に最上昇手前の濾過布を挟んで固定軸と可動軸による一対の脱水用ロ−ラ−を設けることからなる形式。
【０００７】
【発明が解決しようとする課題】
上記従来形式は、▲１▼掻取板で無端帯状濾過布の表面を押付けるために目詰まりが起り易い▲２▼当該目詰まりが原因で濁水状態の用済排水が周囲に溢出・散乱して当該周囲を汚してしまい易い▲３▼脱水用ロ−ラ−に雑物が絡んでしまってその効果、能力の低下を招き易い等の欠陥を有していた。
【０００８】
本発明は、上記したような欠陥を解消する工夫を施した新規の貝類養殖かご洗浄後排水濾過装置を提供することを目的とするものである。
【０００９】
【課題を解決するための手段】
上記目的を達成するために請求項１に係る貝類養殖かご洗浄後排水濾過装置は、左右側面板間に設けた傾斜位置にある２個のロ−ラ−間に無端帯状の濾過ベルトを掛け回したモーター駆動の濾過前排水搬送部と、濾過ベルトの上辺側部分と下辺側部分との間に設けた上辺側部分の目を介して濾し出された濾過後排水を下方に送り出す搬送用シュートと、を備えて成ることを特徴とするものである。
【００１０】
請求項２に係る貝類養殖かご洗浄後排水濾過装置は、摩擦を少なくするための多数本の突条を長手方向の向きとして下面に設けた長尺の防止部材を濾過ベルトの上辺側部分の左右両側縁部の上面に配して当該防止部材を左右両側板の内面に止着し、よって濾過ベルトの上辺側部分の左右両側縁と左右両側板の内面との間から雑物および濾過前排水が漏れ出すことを阻止するようにして成るものである。
【００１１】
請求項３に係る貝類養殖かご洗浄後排水濾過装置は、目の粗いベルト体を複数本のローラーに掛け回すことによって構成した脱水用ローラー装置を濾過ベルトの上辺側部分上に載置してこれを左右両側板間に、当該脱水用ローラー装置のベルト体が濾過ベルトの上辺側部分の移動力で回転するようにした状態で支承して成るものである。
【００１２】
請求項４に係る貝類養殖かご洗浄後排水濾過装置は、スリット状の吹出口をもつ吹出ノズルを連結したブロワ−装置を設け、このブロワ−装置の吹出ノズルを濾過ベルトに向けて噴出するようにしたことを特徴とするものである。
【００１３】
請求項５に係る貝類養殖かご洗浄後排水濾過装置は、スリット状の吹出口をもつ吹出ノズルを連結したブロワ−装置を設け、このブロワ−装置の吹出ノズルを脱水用ローラー装置のベルト体に向けて噴出するようにしたことを特徴とするものである。
【００１４】
尚、本発明に係る貝類養殖かご洗浄後排水濾過装置は、図４に示すような、固定軸ゴムロ−ラ−２と可動軸ゴムロ−ラ−３の間に養殖かご４を連続的に供給し、当該養殖かご４の上方から往復動するノズル５を介して高圧水を噴射することによって付着物を除去する方式等の洗浄装置６の下方に配置して用いるものである。
【００１５】
【実施例】
図に示す実施例は、左右両側板１１，１２の上端間に上側回転ローラー１３を、同じく下端間に下側回転ローラー１４を渡し設け、これ等上・下側回転ローラー１３、１４に無端帯状の布製濾過ベルト１５を張設すると共に上側回転ローラー１３にベルトプーリー装置１６を介して駆動モーター１７を連結して濾過前排水搬送部１８を構成し、この濾過前排水搬送部１８に移動用車１９付き脚部材２０を装備して当該濾過前排水搬送部１８を傾斜状態で使用可能な構成とする。すなわちこの濾過前排水搬送部１８は、図１に示すように、その下方側半分個所の上に洗浄装置６から落下する用済排水を受ける状態で使用するようにしてある。
【００１６】
更に、上記濾過ベルト１５の上辺側部分２２と下辺側部分２３との間に濾過後排水を搬送するシュート２４を設けてその排水口２５を左側板１１の下端部に開放し、ここから濾過後排水を排出するようにする。
【００１７】
また、これとは別個に、合成ゴム材料を以て摩擦を少なくするための多数本の突条２６を長手方向の向きとして接地下面に設けた長尺の防止部材２７を構成し、この防止部材２７を上記濾過ベルト１５の上辺側部分２２の左右両側縁部の上面に配して当該防止部材２７を左右両側板１１，１２の内面に止着し、よって濾過ベルト１５の上辺側部分２２の左右両側縁と左右両側板１１，１２の内面との間から雑物および濾過前排水が漏れ出すことを阻止するようにする。
【００１８】
また、これ等とは別個に、上下１対の遊転ローラー２９，３０とガイドローラー３１に目の粗い（約１ｍｍ角の目）状態に織ったベルト体３２を掛け回すことによって脱水用ローラー装置３３を構成し、この脱水用ローラー装置３３を上記濾過ベルト１５の上辺側部分２２における上端寄り個所の上に載置してこれを左右両側板１１，１２に支持部（図示せず）を介して支承し、よってこの脱水用ローラー装置３３のベルト体３２が濾過ベルト１５の上辺側部分２２の移動力で回転するようにする。尚、脱水用ローラー装置３３のベルト体３２は、駆動装置を別に設けて回転するようにしても良い。
【００１９】
また、これ等とは別個に、スリット状の吹出口３５をもつ１対の吹出ノズル３６、３７をそれぞれチューブ３８，３９を介して連結したブロワ−装置４０を構成し、このプロワー装置４０を上記濾過ベルト１５の上辺側部分２２における駆動モーター１７と脱水用ローラー装置３３との間に配置してこれを左右両側板１１，１２に支持部（図示せず）を介して支承すると共に一方の吹出ノズル３６を上記濾過ベルト１５の下辺側部分２３における上端寄り個所に配装して同個所に噴出させることよって濾過ベルト１５に付着している雑物を吹き飛ばすようにし、同じく他方の吹出ノズル３７を上記脱水用ローラー装置３３のベルト体３２の近傍に配装して噴出させることよって同ベルト体３２に付着している雑物を吹き飛ばすようにしたものである。
【００２０】
尚、図５に示す第２実施例は、脱水用ローラー装置３３を設けていない構成のものであって、他の構成は上記の第１実施例と同様にしてあるものである。
【００２１】
【作用】
すなわち上記の実施例は、洗浄装置６の下方に配置した状態において当該洗浄装置６の下の口から濾過ベルト１５における上辺側部分２２の下方部分上に濾過前排水（用済排水）を受けて当該濾過前排水を上方ヘ搬送し、そしてこの搬送の途中で水の部分を濾過ベルト１５の目を介してシュータ２４に落し、当該シュータ２４の排水口２５から外に排出して海、川等に流す。勿論、マンホール、沈殿槽等に流しても支承がないことは言うまでもない。
【００２２】
他方、濾過前排水（用済排水）に含んでいた除去付着物は、濾過ベルト１５の上辺側部分２２を上昇移動して同上辺側部分２２の上端を越えた時点で落下し、その下に予め用意された容器、コンベア（図示せず）に収集され、のちに適宜処理される。尚、微細な付着物は、そのままシュータ２４の排水口２５から外に排出される。このように濾過排水に同伴する微細な付着物を海水に戻しても支障となることはない。
【００２３】
また、濾過ベルト１５の上辺側部分２２を上昇移動する付着物は、濾過ベルト１５の上辺側部分２２の移動力で回転する脱水用ローラー装置３３のベルト体３２により押し潰され乍ら移動し、そしてこのときに、大き目の付着物が濾過ベルト１５の目に詰まった或は詰まりそうな細かい付着物を濾過ベルト１５の目を介してシュータ２４に押出し、この押出された細かい付着物は、そのまま水の部分と一緒にシュータ２４の排水口２５から外に排出されると共に付着物は、脱水用ローラー装置３３のベルト体３２によりプレスされ乍ら移動するので雑物が絡み込みにくい。
【００２４】
更に、ブロワ−装置４０は、その吹出ノズル３６、３７から出す風の圧力により吹き飛ばして濾過ベルト１５およびベルト体３２の目詰まり、雑物の付着を防止する。
【００２５】
【発明の効果】
請求項１に係る貝類養殖かご洗浄後排水濾過装置は、上記のように、左右側面板間に設けた傾斜位置にある２個のロ−ラ−間に無端帯状の濾過ベルトを掛け回したモーター駆動の濾過前排水搬送部と、濾過ベルトの上辺側部分と下辺側部分との間に設けた上辺側部分の目を介して濾し出された濾過後排水を下方に送り出す搬送用シュートとを備えて成るので、上記のように使用することによって、貝類養殖かごを洗浄した後の用済排水中に含む除去付着物を効果的に収集できるものであって、除去付着物が海中に堆積して船舶航行を妨げてしまうようなことを回避するのに極めて有効なものである。
【００２６】
請求項２に係る貝類養殖かご洗浄後排水濾過装置は、上記のように、摩擦を少なくするための多数本の突条を長手方向の向きとして下面に設けた長尺の防止部材を濾過ベルトの上辺側部分の左右両側縁部の上面に配して当該防止部材を左右両側板の内面に止着し、よって濾過ベルトの上辺側部分の左右両側縁と左右両側板の内面との間から雑物および濾過前排水が漏れ出すことを阻止するようにして成るので、貝類養殖かご洗浄後排水の搬送を効率よく行うことを可能とし、またこの請求項２に係る貝類養殖かご洗浄後排水濾過装置における長尺防止部材は、その下面には摩擦を少なくするための多数本の突条が設けられているものであるので、濾過ベルトのスムーズな移動状態の確保を可能にする等の利点を有するものである。
【００２７】
請求項３に係る貝類養殖かご洗浄後排水濾過装置は、上記のように、目の粗いベルト体を複数本のローラーに掛け回すことによって構成した脱水用ローラー装置を濾過ベルトの上辺側部分上に載置してこれを左右両側板間に、当該脱水用ローラー装置のベルト体が濾過ベルトの上辺側部分の移動力で回転するようにした状態で支承して成るので、濾過ベルトの上辺側部分を上昇移動する除去付着物は、濾過ベルトの上辺側部分の移動力で回転する脱水用ローラー装置のベルト体により押し潰され乍ら移動し、そしてこのときに、大き目の付着物が濾過ベルトの目に詰まった或は詰まりそうな細かい付着物を濾過ベルトの目を介してシュータに押し出し、この押出された細かい付着物を、そのまま水の部分と一緒にシュータの排水口から外に排出するものであって、上記掻取板による従来形式に比して濾過ベルトの目詰まりを起し難いものであり、しかも付着物は脱水用ローラー装置のベルト体によりプレスされ乍ら移動するので雑物が絡み込みにくい等の優れた効果を奏するものである。
【００２８】
請求項４に係る貝類養殖かご洗浄後排水濾過装置は、上記のように、スリット状の吹出口をもつ吹出ノズルを連結したブロワ−装置を設け、このブロワ−装置の吹出ノズルを濾過ベルトに向けて噴出するようにしたことを特徴とするので、濾過ベルトの目詰まり、雑物の付着をブロワ−装置の吹出ノズルから出る風圧によって防止できる著効を有するものである。
【００２９】
請求項５に係る貝類養殖かご洗浄後排水濾過装置は、上記のように、スリット状の吹出口をもつ吹出ノズルを連結したブロワ−装置を設け、このブロワ−装置の吹出ノズルを脱水用ローラー装置のベルト体に向けて噴出するようにしたことを特徴とするので、脱水用ローラー装置のベルト体の目詰まり、雑物の付着をブロワ−装置の吹出ノズルから出る風圧によって防止できる著効を有するものである。
【図面の簡単な説明】
【図１】第１実施例を示す側面略図である。
【図２】図１Ａ−Ａ線に沿う断面図である。
【図３】吹出ノズルを示す斜視図である。
【図４】貝類養殖かご洗浄装置と組合わせた使用の状態を示す側面図である。
【図５】第２実施例を示す側面略図である。
【符号の説明】
２　固定軸ゴムロ−ラ−
３　可動軸ゴムロ−ラ−
４　養殖かご
５　ノズル
６　洗浄装置
１１　左側板
１２　右側板
１３　上側回転ローラー
１４　下側回転ローラー
１５　濾過ベルト
１６　ベルトプーリー装置
１７　駆動モーター
１８　濾過前排水搬送部
１９　移動用車
２０　脚部材
２２　上辺側部分
２３　下辺側部分
２４　シュート
２５　排水口
２６　突条
２７　防止部材
２９　遊転ローラー
３０　遊転ローラー
３１　ガイドローラー
３２　ベルト体
３３　脱水用ローラー装置
３５　吹出口
３６　吹出ノズル
３７　吹出ノズル
３８　チューブ
３９　チューブ
４０　プロワー装置
【図１】
2004033805.tif 000003
【図２】
2004033805.tif 000004
【図３】
2004033805.tif 000005
【図４】
2004033805.tif 000006
【図５】
2004033805.tif 000007